(57)【要約】      （修正有）【課題】使用時には簡単に組み立てて複数の商品を吊下げた状態で展示・販売することができ、非使用時には扁平状に折り畳んでスペースを小さくすることができ、さらに、部品点数を削減したディスプレイ用具を提供する。【解決手段】上面及び前面が開放された箱状の本体部１０と棒状の吊下げ具とから構成されるディスプレイ用具であって、本体部１０は、背板２０、底板３０及び補強板５０を備えており、吊下げ具は、吊下げ棒６１及び本体部１０の背板２０の掛止部に掛止されるフック６２を備えている。背板２０と底板３０及び補強板５０とを連接して、吊下げ具を掛止させる本体部１０の強度を他部品を追加することなく簡単に増強させたので、重量のある商品７０でも吊下げて展示・販売することが可能となる。【選択図】図１
0003156106.tif 000002
【実用新案登録請求の範囲】
【請求項１】
上面及び前面が開放された箱状の本体部と棒状の吊下げ具とから構成されるディスプレイ用具であって、
前記本体部は、背板、底板及び補強板を備え、前記吊下げ具は、吊下げ棒及び前記本体部に掛止されるフックを備え、前記背板と底板及び補強板とは連接されていることを特徴とするディスプレイ用具。
【請求項２】
前記背板の左右の一部が、背部側板折曲線を介した背部側板として形成されていることを特徴とする請求項１に記載のディスプレイ用具。
【請求項３】
前記底板の左右の一部が、底部側板折曲線を介した底部側板として形成されていることを特徴とする請求項１または２に記載のディスプレイ用具。
【請求項４】
前記補強板の一部が、補強底板折曲線を介した補強底板として形成されていることを特徴とする請求項１から３のいずれかに記載のディスプレイ用具。
【請求項５】
前記本体部を１枚の紙製ブランク材から構成し、前記背板と底板及び補強板との連接が、それぞれ背板折曲線及び補強板折曲線を介してなされていることを特徴とする請求項１から４のいずれかに記載のディスプレイ用具。
【請求項６】
前記背板の左右に形成された背部側板のそれぞれの端部が嵌合片として、底部側板折曲線に沿って形成された嵌合孔に差し込まれるように形成されていることを特徴とする請求項１から５のいずれかに記載のディスプレイ用具。
【請求項７】
前記嵌合片の嵌合孔への差込みが前記本体部の内側に向かってなされることを特徴とする請求項６に記載のディスプレイ用具。
【請求項８】
前記補強底板の端部が差込片として、背板折曲線に沿って形成された差込孔に差し込まれるように形成されていることを特徴とする請求項４から７のいずれかに記載のディスプレイ用具。
【請求項９】
前記差込片の差込孔への差込みが前記本体部の外側に向かってなされることを特徴とする請求項８に記載のディスプレイ用具。
【請求項１０】
前記補強板の上端部を一部切り抜いて、前記吊下げ具の吊下げ棒が挿通される挿通開口を形成すると共に、前記背板の上端部を前記吊下げ具のフックを掛止する掛止部に形成したことを特徴とする請求項１から９のいずれかに記載のディスプレイ用具。
【請求項１１】
前記背板の上端部の一部を、前記挿通開口に繋がるように切り抜いて、前記掛止部を形成したことを特徴とする請求項１０に記載のディスプレイ用具。
【請求項１２】
前記挿通開口の横寸法が、前記吊下げ具のフックの幅にほぼ合致していることを特徴とする請求項１１に記載のディスプレイ用具。
【請求項１３】
前記挿通開口の縦寸法が、前記吊下げ具のフックを前記掛止部に掛止したとき、前記フックにおける吊下げ棒の下側部分が隠れる大きさであることを特徴とする請求項１２に記載のディスプレイ用具。
【請求項１４】
前記掛止部に、前記挿通開口の形状の補強片を貼着したことを特徴とする請求項１０から１３のいずれかに記載のディスプレイ用具。
【請求項１５】
前記吊下げ具は、前記吊下げ棒の先端を下方に傾斜した状態で前記本体部に掛止させたことを特徴とする請求項１から１４のいずれかに記載のディスプレイ用具。
【考案の詳細な説明】
【技術分野】
【０００１】
本考案は、各種の商品を吊下げた状態で収納して展示・販売することができるディスプレイ用具に関し、特に、使用時には、所定形状に組み立てて店頭の棚などに載置した形態で使用でき、また、保管時や運搬時などの非使用時には扁平状に折り畳むことができるようにしたディスプレイ用具に関する。
【背景技術】
【０００２】
各種の商品を吊下げた状態で収容して店頭などに設置できるディスプレイ用具として、従来から、使用時には所定形状に組み立てて、店頭の棚などの上に載置した形態で使用できると共に、非使用時には扁平状に折り畳むことができるディスプレイ用具が開発され、実用化されている。
【０００３】
この種のディスプレイ用具として、特許文献１には、上面及び前面が開放された箱体と、この背板に添設され、背板と略同一高さの中空の四角柱からなる補強部材と、背板及び補強部材の上端縁に片持ち状に取り付けられフック部とロッド部とからなるハンガーロッドと、から構成され、ハンガーロッドのフック部が、箱体の背板の厚みと補強部材の背面の厚みの和に相当する内面間隔に設定されて箱体の背板及び補強部材の背面の双方の上端を挟んで差し込まれ、ロッド部が補強部材の前面の上端縁により支持されるようにした商品陳列具が開示されている。この商品陳列具は、箱体、補強部材及びハンガーロッドがそれぞれ取り付け・取り外し自在に形成され、箱体は、展開・組立自在に形成されている。
【先行技術文献】
【特許文献】
【０００４】
【特許文献１】特許第４１８１７９８号公報
【考案の概要】
【考案が解決しようとする課題】
【０００５】
特許文献１の商品陳列具は、箱体、補強部材及びハンガーロッドが、取り付け、取り外し自在に形成されると共に、箱体は、展開、組立自在に形成されているため、使用時には、商品を吊下げた状態で展示するように組み立てることができ、また、非使用時には、扁平に折り畳んで保管及び運搬スペースを小さくすることができるが、箱体の他に箱体を補強するために、別体の補強部材を必要とすることから、部品点数が増え、特に保管時などの非使用時の取扱が煩雑となってしまう。
【０００６】
本考案は、上述したような従来の事情に鑑みてなされたものであり、使用時には、簡単に組み立てて、複数の商品を吊下げた状態で展示・販売することができると共に、保管時や運搬時などの非使用時には扁平状に折り畳んで、必要な収納スペースを小さくすることができ、さらに、部品点数を削減したディスプレイ用具を提供することを目的とする。
【課題を解決するための手段】
【０００７】
上記課題を達成するために、請求項１に記載のディスプレイ用具に係る考案は、上面及び前面が開放された箱状の本体部と棒状の吊下げ具とから構成されるディスプレイ用具であって、前記本体部は、背板、底板及び補強板を備え、前記吊下げ具は、吊下げ棒及び前記本体部に掛止されるフックを備え、前記背板と底板及び補強板とは連接されていることを特徴とする。
【０００８】
また、上記課題を達成するために、請求項２に記載のディスプレイ用具に係る考案は、請求項１に記載の考案において、前記背板の左右の一部が、背部側板折曲線を介した背部側板として形成されていることを特徴とする。
【０００９】
さらに、上記課題を達成するために、請求項３に記載のディスプレイ用具に係る考案は、請求項１または２に記載の考案において、前記底板の左右の一部が、底部側板折曲線を介した底部側板として形成されていることを特徴とする。
【００１０】
さらにまた、上記課題を達成するために、請求項４に記載のディスプレイ用具に係る考案は、請求項１から３のいずれかに記載の考案において、前記補強板の一部が、補強底板折曲線を介した補強底板として形成されていることを特徴とする。
【００１１】
さらにまた、上記課題を達成するために、請求項５に記載のディスプレイ用具に係る考案は、請求項１から４のいずれかに記載の考案において、前記本体部を１枚の紙製ブランク材から構成し、前記背板と底板及び補強板との連接が、それぞれ背板折曲線及び補強板折曲線を介してなされていることを特徴とする。
【００１２】
さらにまた、上記課題を達成するために、請求項６に記載のディスプレイ用具に係る考案は、請求項１から５のいずれかに記載の考案において、前記背板の左右に形成された背部側板のそれぞれの端部が嵌合片として、底部側板折曲線に沿って形成された嵌合孔に差し込まれるように形成されていることを特徴とする。
【００１３】
さらにまた、上記課題を達成するために、請求項７に記載のディスプレイ用具に係る考案は、請求項６に記載の考案において、前記嵌合片の嵌合孔への差込みが前記本体部の内側に向かってなされることを特徴とする。
【００１４】
さらにまた、上記課題を達成するために、請求項８に記載のディスプレイ用具に係る考案は、請求項４から７のいずれかに記載の考案において、前記補強底板の端部が差込片として、背板折曲線に沿って形成された差込孔に差し込まれるように形成されていることを特徴とする。
【００１５】
さらにまた、上記課題を達成するために、請求項９に記載のディスプレイ用具に係る考案は、請求項８に記載の考案において、前記差込片の差込孔への差込みが前記本体部の外側に向かってなされることを特徴とする。
【００１６】
さらにまた、上記課題を達成するために、請求項１０に記載のディスプレイ用具に係る考案は、請求項１から９のいずれかに記載の考案において、前記補強板の上端部を一部切り抜いて、前記吊下げ具の吊下げ棒が挿通される挿通開口を形成すると共に、前記背板の上端部を前記吊下げ具のフックを掛止する掛止部に形成したことを特徴とする。
【００１７】
さらにまた、上記課題を達成するために、請求項１１に記載のディスプレイ用具に係る考案は、請求項１０に記載の考案において、前記背板の上端部の一部を、前記挿通開口に繋がるように切り抜いて、前記掛止部を形成したことを特徴とする。
【００１８】
さらにまた、上記課題を達成するために、請求項１２に記載のディスプレイ用具に係る考案は、請求項１１に記載の考案において、前記挿通開口の横寸法が、前記吊下げ具のフックの幅にほぼ合致していることを特徴とする。
【００１９】
さらにまた、上記課題を達成するために、請求項１３に記載のディスプレイ用具に係る考案は、請求項１２に記載の考案において、前記挿通開口の縦寸法が、前記吊下げ具のフックを前記掛止部に掛止したとき、前記フックにおける吊下げ棒の下側部分が隠れる大きさであることを特徴とする。
【００２０】
さらにまた、上記課題を達成するために、請求項１４に記載のディスプレイ用具に係る考案は、請求項１０から１３のいずれかに記載の考案において、前記掛止部に、前記挿通開口の形状の補強片を貼着したことを特徴とする。
【００２１】
さらにまた、上記課題を達成するために、請求項１５に記載のディスプレイ用具に係る考案は、請求項１から１４のいずれかに記載の考案において、前記吊下げ具は、前記吊下げ棒の先端を下方に傾斜した状態で前記本体部に掛止させたことを特徴とする。
【考案の効果】
【００２２】
請求項１に記載のディスプレイ用具に係る考案によれば、背板と底板及び補強板とは連接されているので、吊下げ具を掛止させる本体部の強度を、他部品を追加することなく簡単に増強させることができる。また、本体部を組み立てた際に、本体部全体の強度が向上されているので、重量のある商品でも吊下げて展示・販売することが可能となる。
【００２３】
また、請求項２記載のディスプレイ用具に係る考案によれば、請求項１の効果に加えて、背板の左右の一部が、背部側板折曲線を介した背部側板として形成されているので、背板の立ち具合が安定し、本体部全体の強度がより向上する。また、背部側板に装飾や広告的な表示等を行うこともできる。背部側板の形状は任意であるため、好みの形状にすることで本体部全体のデザイン性を高めることもできる。背部側板を大型のものにすることで、本体部横方法への仕切りとすることもできる。背板左右の背部側板の形状は通常は対称なものとして形成するが、異なる形状にすることも可能である。
【００２４】
さらに、請求項３記載のディスプレイ用具に係る考案によれば、請求項１または２の効果に加えて、底板の左右の一部が、底部側板折曲線を介した底部側板として形成されているので、本体部全体の強度がより向上する。また、底部側板に装飾や広告的な表示等を行うこともできる。底部側板の形状は任意であるため、好みの形状にすることで本体部全体のデザイン性を高めることもできる。底部側板を本体部横方法への仕切りとすることもできる。底板左右の底部側板の形状は通常は対称なものとして形成するが、異なる形状にすることも可能である。
【００２５】
さらにまた、請求項４記載のディスプレイ用具に係る考案によれば、請求項１から３のいずれかの効果に加えて、補強板の一部が、補強底板折曲線を介した補強底板として形成されているので、補強板の安定性が向上し、本体部全体の強度もより向上する。
【００２６】
さらにまた、請求項５記載のディスプレイ用具に係る考案によれば、請求項１から４のいずれかの効果に加えて、本体部を１枚の紙製ブランク材から構成し、背板と底板及び補強板との連接が、それぞれ背板折曲線及び補強板折曲線を介してなされているので、本体部の製造が容易かつ安価に行え、使用時の組立や保管・運搬時の折り畳みが簡易にできる。
【００２７】
さらにまた、請求項６記載のディスプレイ用具に係る考案によれば、請求項１から５のいずれかの効果に加えて、背板の左右に形成された背部側板のそれぞれの端部が嵌合片として、底部側板折曲線に沿って形成された嵌合孔に差し込まれるように形成されているので、背部側板が本体部の安定性を更に向上させる。
【００２８】
さらにまた、請求項７記載のディスプレイ用具に係る考案によれば、請求項６の効果に加えて、嵌合片の嵌合孔への差込みが本体部の内側に向かってなされるので、嵌合片が本体部外側に出っ張らず、本体部を載置する際に邪魔にならず有利である。また、デザイン的にも優れ、ディスプレイ用具として好ましい。
【００２９】
さらにまた、請求項８記載のディスプレイ用具に係る考案によれば、請求項４から７のいずれかの効果に加えて、補強底板の端部が差込片として、背板折曲線に沿って形成された差込孔に差し込まれるように形成されているので、補強板が本体部の強度を更に高める。
【００３０】
さらにまた、請求項９記載のディスプレイ用具に係る考案によれば、請求項８の効果に加えて、差込片の差込孔への差込みが本体部の外側に向かってなされるので、補強板の前面に補強底板が現れず、視覚的にすっきりと納めることができる。また、差込片をわずかな突起にすることにより、差込孔から外側への出っ張りもほとんどなくすことができ、本体部を載置する際に壁などに密着して置くことができ有利である。
【００３１】
さらにまた、請求項１０記載のディスプレイ用具に係る考案によれば、請求項１から９のいずれかの効果に加えて、補強板の上端部を一部切り抜いて、吊下げ具の吊下げ棒が挿通される挿通開口を形成すると共に、背板の上端部を吊下げ具のフックを掛止する掛止部に形成したので、棒状の吊下げ具を、本体部の所定位置に確実に位置決めして掛止することができる。掛止部と挿通開口は本体部１つに対して１箇所に限らず複数箇所にすることも可能で、それに応じて吊下げ具は１つ又は複数個を掛止させることもできる。
【００３２】
さらにまた、請求項１１記載のディスプレイ用具に係る考案によれば、請求項１０の効果に加えて、背板の上端部の一部を、挿通開口に繋がるように切り抜いて、掛止部を形成したので、吊下げ具の横方向の安定性が向上する。また、吊下げ具のフックが本体部上側に出っ張らずデザイン的にも優れる。
【００３３】
さらにまた、請求項１２記載のディスプレイ用具に係る考案によれば、請求項１１の効果に加えて、挿通開口の横寸法が、吊下げ具のフックの幅にほぼ合致しているので、吊下げ具の横方向の安定性が更に向上する。
【００３４】
さらにまた、請求項１３記載のディスプレイ用具に係る考案によれば、請求項１２の効果に加えて、挿通開口の縦寸法が、吊下げ具のフックを掛止部に掛止したとき、フックにおける吊下げ棒の下側部分が隠れる大きさであるので、吊下げ具から商品を取り外す際に、吊下げ具が掛止部から容易には外れない。
【００３５】
さらにまた、請求項１４に記載のディスプレイ用具に係る考案によれば、請求項１０から１３のいずれかの効果に加えて、掛止部に、挿通開口の形状の補強片を貼着したので、吊下げ具を掛止する背板の掛止部の強度をさらに向上させることができる。
【００３６】
さらにまた、請求項１５に記載のディスプレイ用具に係る考案によれば、請求項１から１４のいずれかの効果に加えて、吊下げ具は、吊下げ棒の先端を下方に傾斜した状態で本体部に掛止させたので、吊下げ棒に吊下げられた複数の商品を常に手前側に位置するように移動させて、商品の取り出しを容易とすることができる。
【図面の簡単な説明】
【００３７】
【図１】第１の実施の形態に係るディスプレイ用具の使用形態の斜視図である。
【図２】図１に示すディスプレイ用具の分解斜視図である。
【図３】第１の実施の形態に係るディスプレイ用具の本体部の展開平面図である。
【図４】第１の実施の形態に係るディスプレイ用具の本体部の斜視図である。
【図５】図４のＡ−Ａ線に沿った断面図である。
【図６】図５のＢ−Ｂ線に沿った断面図である。
【図７】第１の実施の形態に係るディスプレイ用具の斜視図である。
【図８】図７のＣ−Ｃ線に沿った断面図である。
【図９】第２の実施の形態に係るディスプレイ用具の本体部の展開平面図である。
【図１０】第２の実施の形態に係るディスプレイ用具の本体部の斜視図である。
【図１１】第２の実施の形態に係るディスプレイ用具の斜視図である。
【図１２】図１１のＤ−Ｄ線に沿った断面図である。
【考案を実施するための形態】
【００３８】
以下、本考案の第1及び第２の実施の形態について、図を参照して説明するが、本考案はこれらに限られるものではなく、上記した構成によって特徴づけられるものすべてを含むものである。
【００３９】
本考案の第１の実施の形態に係るディスプレイ用具を図１〜図８に基づいて説明する。
第１の実施の形態に係るディスプレイ用具は、図１に示すように組み立てた状態で店頭の棚の上などに載置して、吊下げ具６０の吊下げ棒６１に複数の商品７０を吊下げて使用できるようにしたものである。また、第１の実施の形態に係るディスプレイ用具は、保管時や運搬時には、図２に示すように、本体部１０から吊下げ具６０を取り外して、図３に示すように、本体部１０を展開した状態にすることができる。なお、保管時や運搬時のスペースを考慮した場合には、図３に示す本体部１０を展開した状態から、背板２０に対して、底板３０、補強板５０または補強底板５４を、背板折曲線２１、補強板折曲線５１または補強底板折曲線５５に沿って折り曲げることもできる。
そして、第１の実施の形態に係るディスプレイ用具は、補強板５０、背部側板４２及び底部側板４０に、例えば、商品名、商品の効能、価格などの文字を表示して、商品の宣伝効果をさらに高めることができる。
【００４０】
以下、本考案の第１の実施の形態に係るディスプレイ用具を詳細に説明する。
図３に示すように、ディスプレイ用具の本体部１０は、１枚の厚紙などのブランク材を、背板２０、底板３０、左右の底部側板４０、左右の背部側板４２、左右の嵌合片４４、補強板５０及び補強底板５４のそれぞれの形状に切り抜いて形成されている。
以下の説明において、図３の上下方向の寸法を「横寸法」、図３の左右方向の寸法を「縦寸法」という。
【００４１】
背板２０はディスプレイ用具の本体部１０の背板を構成するものであり（図２、図４、図５、図６及び図８参照）、横寸法は、後述する底板３０及び補強板５０の横寸法と同一の寸法に、縦寸法は、底板３０及び補強板５０の縦寸法よりも僅かに短い寸法に形成されている。なお、背板２０、底板３０及び補強板５０の縦寸法は、背板２０、補強板５０及び底板３０の順に長くなるように設定されている。
そして、背板２０は、背板折曲線２１を介して底板３０に折り曲げ自在に連接されている。また、背板折曲線２１に沿って差込孔２２が形成されており、この差込孔２２に、後述する補強底板５４の差込片５７が差し込まれて、図５及び図６に示すように、本体部１０が組み立てられる。
【００４２】
また、背板２０には、後述する吊下げ具６０のフック６２を掛止する掛止部２３が形成されており、この掛止部２３は、補強板５０と背板２０の一部を、補強板５０から背板２０に亘って切り抜いて、吊下げ具６０の吊下げ棒６１が挿通される挿通開口５３を形成すると共に、背板２０との連接部を背板２０側に折り曲げた補強片５２を背板２０に貼着することにより、背板２０を補強するように形成されている。また、掛止部２３の上端は、補強板折曲線５１、すなわち、背板２０の上端から、後述する吊下げ具６０のフック６２の肉厚の寸法だけ挿通開口５３に繋がるように切り欠かれて形成されており、掛止部２３に吊下げ具６０のフック６２を掛止した際に、フック６２の上端が補強板５０の上端から突出しないように設定されている。なお、掛止部２３と挿通開口５３は１箇所に形成されているが、吊下げ形態に応じて複数箇所に形成して、複数の吊下げ具６０を掛止させてもよい。
【００４３】
背部側板４２はディスプレイ用具の本体部１０の左右の側板を構成するものであり（図１、図２、図４及び図７参照）、左右対称でほぼ三角形の形状に形成されている。また、各背部側板４２は、その一辺が背部側板折曲線４３を介して背板２０に対して折り曲げ自在に連接されており、各背部側板４２の他辺は、図２、図４及び図５に示すように、本体部１０を組み立てた状態で、緩やかな曲線を描いて下方に傾斜する形状に形成されている。さらに、各背部側版４２は、その下辺に、嵌合片折曲線４６を介して嵌合片４４が折り曲げ自在に連接されており、本体部１０を組み立てた状態で、各嵌合片４４は、後述する嵌合孔３１に差し込まれる（図２、図４、図５及び図６参照）。
また、各嵌合片４４には、後述する補強部連結溝５６に嵌合される嵌合部連結溝４５が形成されている（図５及び図６参照）。そして、各嵌合片４４の横寸法は、背部側板４２の下辺の横寸法の約半分の寸法に形成されている。なお、左右の背部側板４２は左右対称の形状に形成されているが、背部側板４２の形状は、左右非対称の形状としてもよいし、さらに大きな形状として本体部１０の左右の仕切りとして機能させてもよい。
【００４４】
底板３０はディスプレイ用具の本体部１０の底部を構成するものであり（図１、図２、図４及び図７参照）、一端部が背板折曲線２１を介して背板２０に対して折り曲げ自在に連接されている。底板３０の横寸法は、背板２０及び補強板５０の横寸法と同一の寸法に設定されており、また、底板３０の縦寸法は、背板２０及び補強板５０の縦寸法よりも長く設定されており、本体部１０を組み立てた際に、本体部１０を安定した状態で支持できるようにしている。また、底板３０の縦寸法は、後述する吊下げ具６０の吊下げ棒６１の長さ寸法とほぼ同じ長さに設定されている。
【００４５】
底部側版４０は、背部側版４２と共にディスプレイ用具の本体部１０の左右の側板を構成するものであり（図１、図２、図４及び図７参照）、左右対称の形状に形成され、底部側板折曲線４１を介して底板３０に対して折り曲げ自在に連接されている。また、底部側板折曲線４１に沿って嵌合孔３１が形成されており、この嵌合孔３１に、背部側板４２の下辺に連接した嵌合片４４が差し込まれて、図５及び図６に示すように、本体部１０が組み立てられる。なお、左右の底部側板４０は左右対称の形状に形成されているが、底部側板４０の形状は、左右非対称の形状としてもよいし、さらに大きな形状として本体部１０の左右の仕切りとして機能させてもよい。
【００４６】
補強板５０は、ディスプレイ用具を組み立てて使用する際に、本体部１０の強度を増大させようとするものであり（図２、図４、及び図５参照）、一端が背板２０の上端に補強板折曲線５１を介して折り曲げ自在に連接されている。また、補強板５０は、補強板折曲線５１を間にして、補強板５０から背板２０に連続する部位が、後述する吊下げ具６０の吊下げ棒６１が挿通される挿通開口５３の形状に切り抜かれている。この挿通開口５３の形状に切り抜かれた補強板５０と背板２０の部位が補強片５２として、背板２０に貼着されて、背板２０の掛止部２３を補強している。挿通開口５３の寸法は、横寸法が後述する吊下げ具６０のフック６２の横寸法より僅かに大きな寸法に形成され、また、縦寸法は、背板２０の掛止部２３に吊下げ具６０のフック６２を掛止した場合に、吊下げ具６０の吊下げ棒６１が接触しない程度の寸法に形成されている。
【００４７】
また、補強板５０の自由端には、補強底板折曲線５５を介して補強底板５４が折り曲げ自在に連接されている。そして、補強板５０と補強底板５４との連接部、すなわち、補強底板折曲線５５の両側に、この補強底板折曲線５５に沿って補強部連結溝５６がそれぞれ外側に開口するように形成されている。各補強部連結溝５６は、本体部１０を組み立てる際に、各背部側板４２の下辺に一体に連接した嵌合片４４の嵌合部連結溝４５にそれぞれ嵌合される。
【００４８】
吊下げ具６０は、図１、図２、図７及び図８に示すように、ディスプレイ用具の本体部１０に掛止されて、複数の商品７０を吊下げた状態で展示するものであり、吊下げ棒６１とフック６２から構成されている。吊下げ棒６１は合成樹脂製の棒状体から構成されており、一端部がフック６２に固着されると共に、他端部、すなわち、先端部が吊下げ棒６１の軸線に対して所定角度上方に向けて屈曲して形成されている。吊下げ棒６１の先端部を上方に屈曲させることにより、図８に示すように、吊下げ具６０の吊下げ棒６１を下方に傾斜させて本体部１０に掛止した場合でも、吊下げられた複数の商品７０が吊下げ棒６１から抜け落ちることが阻止される。また、吊下げ棒６１の長さ寸法は底板３０の縦寸法とほぼ同じ寸法に設定されている。
【００４９】
そして、図８に示すように、吊下げ棒６１の先端側を、水平面（Ｈ．Ｌ．）から角度αだけ下方に傾斜させた状態で吊下げ具６０を本体部１０に掛止した場合には、吊下げ棒６１の先端側の商品７０を吊下げ棒６１から取り出した際に、取り出した商品７０に続く後続の複数の商品７０を吊下げ棒６１に沿って先端側に移動させることができる。そのため、残存する商品７０が吊下げ棒６１の先端側に常に配置されるので、次回の商品取り出しが容易となるだけでなく、商品欠品を容易に確認することができる。
なお、図８に示すように、吊下げ棒６１に複数の商品７０を吊下げた状態で、各商品７０の下端が底板３０の上面から所定距離Ｓだけ上方に離れるように、各商品７０を吊下げ棒６１に吊下げることにより、先端側が傾斜した吊下げ棒６１から商品７０を取り出した際に、取り出した商品７０に続く後続の複数の商品７０を吊下げ棒６１に沿ってさらに容易に先端側に移動させることができる。
【００５０】
吊下げ具６０のフック６２は背板２０の上端部の掛止部２３に掛止されるものであり、吊下げ棒６１と同様の合成樹脂から構成されている。フック６２の横寸法は、挿通開口５３の横寸法よりも僅かに小さい寸法に設定されており、フック６２を背板２０の掛止部２３に掛止した場合に、フック６２が左右方向に不用意に移動しないようにされている。また、フック６２の縦寸法は、吊下げ棒６１の長さ寸法の約１／３の寸法に設定されており、吊下げ具６０及び商品７０の重量を確実に支持することができる。
【００５１】
次に、図３に示すように切り抜いた１枚のブランク材を、図４に示すディスプレイ用具の本体部１０に組み立てる工程を、図５及び図６を参照して説明する。
まず、本体部１０の組立準備工程を説明する。
ア．底板３０に対して、左右の底部側板４０を、底部側板折曲線４１に沿って互いに対向するように折り曲げる。
イ．背板２０に対して、左右の背部側板４２を、背部側板折曲線４３に沿って互いに対向するように折り曲げる。
ウ．左右の背部側板４２の各嵌合片４４を、嵌合片折曲線４６に沿って互いに対向するように折り曲げる。
エ．背板２０に対して、補強板５０を、補強板折曲線５１に沿って、背板２０に重なる方向に折り曲げる。
オ．補強板５０に対して、補強底板５４を、補強底板折曲線５５に沿って、補強板５０に重なる方向に折り曲げる。
カ．底板３０に対して、背板２０を、背板折曲線２１に沿って、補強底板５４が底板３０に接近する方向に折り曲げる。この工程で、補強底板５４の差込片５７を、背板２０と底板３０との間に形成した差込孔２２に差し込む。
以上のア〜カの工程で本体部１０の組立準備が終了する。
【００５２】
次に、本体部１０の組立最終工程を説明する。
キ．まず、補強底板５４の差込片５７を差込孔２２に差し込んだ状態で、補強底板５４を底板３０に押し付けて、補強底板５４を底板３０に密着させる。
ク．次に、左右の背部側板４２の各嵌合片４４を、底板３０と底部側板４０との間に形成した嵌合孔３１にそれぞれ挿入する。この工程では、各嵌合片４４に形成した嵌合部連結溝４５を、補強板５０と補強底板５４との間に形成した左右の補強部連結溝５６に、それぞれ交差するように差し込む。
ケ．すると、図５及び図６に示すように、嵌合片４４は、嵌合部連結溝４５を境にして、その一部が底板３０の上面に位置し、残りの部分が補強板５０の背後で、補強底板５４の上面に位置して、嵌合片４４の下面で補強底板５４を底板３０に押し付けた状態となり、本体部１０の組立最終工程が終了する。
なお、本体部１０を保管、運搬する場合には、図４に示す組立状態から、図３に示す展開状態に、或いは、背板２０に対して底板３０と補強板５０を重ねて適宜の扁平状態とすることにより、保管、運搬作業を簡便とすることができる。
【００５３】
次に、第１の実施の形態に係るディスプレイ用具の使用法について説明する。
第１の実施の形態に係るディスプレイ用具は、店頭の棚などに載置して商品を吊下げて展示・販売する場合には、図７に示すように組み立てた状態で使用し、また、保管、運搬時には、図３に示すように扁平な状態に折り畳むことができるように構成されている。なお、保管、運搬時には、本体部１０から吊下げ具６０を取り外して、扁平に折り畳んだ本体部１０と一緒に吊下げ具６０を梱包するようがよい。
【００５４】
（１）商品を展示・販売する場合
本体部１０の組立準備工程及び組立最終工程で説明したように、図３に示す状態から、補強底板５４の差込片５７を差込孔２２に差し込んだ状態で、補強底板５４を底板３０に押し付けて、補強底板５４を底板３０に密着させる。
次に、左右の背部側板４２の各嵌合片４４を、底板３０と底部側板４０との間に形成した嵌合孔３１にそれぞれ挿入する。この工程では、各嵌合片４４に形成した嵌合部連結溝４５を、補強板５０と補強底板５４との間に形成した左右の補強部連結溝５６に、それぞれ交差するように差し込んで、補強底板５４を底板３０と嵌合片４４との間に挟持して、図４〜図６に示すように、本体部１０の組立を完了する。
【００５５】
次に、図２に示すように、吊下げ具６０のフック６２を、補強板５０の挿通開口５３の上方から挿通開口５３内に挿入して、背板２０の掛止部２３を表裏両側から挟持するように、掛止部２３に装着する。すると、図７に示すように、本体部１０に吊下げ具６０が掛止されて、商品７０を展示する準備が完了する。
そして、この準備状態では、図８に示すように、吊下げ具６０は、吊下げ棒６１の先端を水平状態（Ｈ．Ｌ．）から角度αだけ下方に傾斜した状態で、本体部１０に掛止される。
そして、最後に、図１及び図２に示すように、吊下げ具６０の吊下げ棒６１に商品７０の吊下げ孔７１を挿入して、吊下げ棒６１に複数の商品７０を吊下げて、商品７０を展示して販売する準備が完了する。
なお、図８に示すように、吊下げ棒６１に複数の商品７０を吊下げた状態で、各商品７０の下端が底板３０の上面から所定距離Ｓだけ上方に離れるように、各商品７０を吊下げ棒６１に吊下げることにより、先端側が傾斜した吊下げ棒６１から商品７０を取り出した際に、取り出した商品７０に続く後続の複数の商品７０を吊下げ棒６１に沿って先端側にさらに容易に移動させることができる。
【００５６】
（２）扁平に折り畳む場合
図１に示す状態から、まず、吊下げ具６０の吊下げ棒６１から商品７０を取り外す（図７参照）。
次に、吊下げ具６０のフック６２を、本体部１０の掛止部２３から引き抜く（図２に示す矢印と反対方向）と、図４に示す本体部１０のみの状態となる。
次に、左右の背部側板４２を底部側板４０からそれぞれ引き離すように引っ張ると、背部側板４２の嵌合片４４の嵌合部連結溝４５と補強板５０の補強部連結溝５６との連結が解除される。
次に、補強底板５４の差込片５７を差込孔２２から引き抜いて、補強板５０と背板２０の連結を解除する。
そして、本体部１０を保管、運搬する場合には、図３に示す状態に展開状態、或いは、背板２０に対して底板３０と補強板５０を重ねた状態とする。
また、吊下げ具６０は、扁平に折り畳んだ本体部１０と一緒に保管、運搬する。
【００５７】
本考案の第２の実施の形態に係るディスプレイ用具を、図９〜図１２に基づいて、第１の実施の形態に係るディスプレイ用具と相違する点を説明する。なお、第１の実施の形態に係るディスプレイ用具と同じ部材および相当する部材は同じ符号を付して、その説明は適宜省略する。
図９に示すように、第２の実施の形態に係るディスプレイ用具の本体部１０ａは、第１の実施の形態に係るディスプレイ用具の本体部１０と比較して、背板２０の掛止部２３が補強片５２を備えていない点で相違するだけであり、他の構成部材、すなわち、背板２０、底板３０、左右の底部側板４０、左右の背部側板４２、左右の嵌合片４４、補強板５０及び補強底板５４は同様に構成されている。
そこで、特に、背板２０の掛止部２３と挿通開口５３について説明する。
【００５８】
図９に示すように、挿通開口５３は、補強板折曲線５１を含む背板２０と補強板５０との連接部を所定形状に切り抜いて形成されている。このように、背板２０と補強板５０との連接部に挿通開口５３を形成することにより、背板２０には、図１０〜図１２に示すように、吊下げ具６０のフック６２を掛止する掛止部２３が形成される。掛止部２３は、背板２０の上端部を、吊下げ具６０のフック６２の肉厚の寸法だけ挿通開口５３に繋がるように切り欠いて形成されており、掛止部２３に吊下げ具６０のフック６２を掛止した際に、フック６２の上端が補強板５０の上端から突出しないように設定されている（図１１及び図１２参照）。なお、掛止部２３と挿通開口５３は１箇所に形成されているが、吊下げ形態に応じて複数箇所に形成して、複数の吊下げ具６０を掛止させてもよい。
【００５９】
また、補強板５０は、補強板５０から背板２０に連続する部位が、吊下げ具６０の吊下げ棒６１が挿通される挿通開口５３の形状に切り抜かれているが、この挿通開口５３は、第１の実施の形態に係るディスプレイ用具の本体部１０に形成した挿通開口５３と同じ寸法に、すなわち、横寸法が吊下げ具６０のフック６２の横寸法より僅かに大きな寸法に形成され、また、縦寸法は、掛止部２３にフック６２を掛止した場合に、吊下げ具６０の吊下げ棒６１が接触しない寸法に設定されている（図１１及び図１２参照）。
【００６０】
第２の実施の形態に係るディスプレイ用具では、背板２０と補強板５０との連接部を挿通開口５３の形状に切り抜いてしまうため、第１の実施の形態に係るディスプレイ用具に比べて、背板２０の掛止部２３の強度が若干低下するが、第１の実施の形態に係るディスプレイ用具に比べて、重量の軽い商品７０を展示する場合に有利である。
また、第２の実施の形態に係るディスプレイ用具の組立方法及び折畳方法は、第１の実施の形態に係るディスプレイ用具と同様に行われる。
【符号の説明】
【００６１】
１０  本体部
２０  背板
２１  背板折曲線
２２  差込孔
２３  掛止部
３０  底板
３１  嵌合孔
４０  底部側板（側板）
４１  底部側板折曲線
４２  背部側板（側板）
４３  背部側板折曲線
４４  嵌合片
４５  嵌合部連結溝
４６  嵌合片折曲線
５０  補強板
５１  補強板折曲線
５２  補強片（掛止部）
５３  挿通開口
５４  補強底板
５５  補強底板折曲線
５６  補強部連結溝
５７  差込片
６０  吊下げ具
６１  吊下げ棒
６２  フック
７０  商品
７１  吊下げ孔
【図１】
0003156106.tif 000003
【図２】
0003156106.tif 000004
【図３】
0003156106.tif 000005
【図４】
0003156106.tif 000006
【図５】
0003156106.tif 000007
【図６】
0003156106.tif 000008
【図７】
0003156106.tif 000009
【図８】
0003156106.tif 000010
【図９】
0003156106.tif 000011
【図１０】
0003156106.tif 000012
【図１１】
0003156106.tif 000013
【図１２】
0003156106.tif 000014
【手続補正書】
【提出日】平成21年10月14日(2009.10.14)
【手続補正１】
【補正対象書類名】実用新案登録請求の範囲
【補正対象項目名】全文
【補正方法】変更
【補正の内容】
【実用新案登録請求の範囲】
【請求項１】
上面及び前面が開放された箱状の本体部と棒状の吊下げ具とから構成されるディスプレイ用具であって、
前記本体部は、背板、底板及び補強板を備え、前記吊下げ具は、吊下げ棒及び前記本体部に掛止されるフックを備え、前記背板と底板及び補強板とは連接されていることを特徴とするディスプレイ用具。
【請求項２】
前記背板の左右の一部が、背部側板折曲線を介した背部側板として形成されていることを特徴とする請求項１に記載のディスプレイ用具。
【請求項３】
前記底板の左右の一部が、底部側板折曲線を介した底部側板として形成されていることを特徴とする請求項１または２に記載のディスプレイ用具。
【請求項４】
前記補強板の一部が、補強底板折曲線を介した補強底板として形成されていることを特徴とする請求項１から３のいずれかに記載のディスプレイ用具。
【請求項５】
前記補強底板の端部が差込片として、背板折曲線に沿って形成された差込孔に差し込まれるように形成されていることを特徴とする請求項４に記載のディスプレイ用具。
【請求項６】
前記差込片の差込孔への差込みが前記本体部の外側に向かってなされることを特徴とする請求項５に記載のディスプレイ用具。
【請求項７】
前記本体部を１枚の紙製ブランク材から構成し、前記背板と底板及び補強板との連接が、それぞれ背板折曲線及び補強板折曲線を介してなされていることを特徴とする請求項１から６のいずれかに記載のディスプレイ用具。
【請求項８】
前記背板の左右に形成された背部側板のそれぞれの端部が嵌合片として、底部側板折曲線に沿って形成された嵌合孔に差し込まれるように形成されていることを特徴とする請求項３から７のいずれかに記載のディスプレイ用具。
【請求項９】
前記嵌合片の嵌合孔への差込みが前記本体部の内側に向かってなされることを特徴とする請求項８に記載のディスプレイ用具。
【請求項１０】
前記補強板の上端部を一部切り抜いて、前記吊下げ具の吊下げ棒が挿通される挿通開口を形成すると共に、前記背板の上端部を前記吊下げ具のフックを掛止する掛止部に形成したことを特徴とする請求項１から９のいずれかに記載のディスプレイ用具。
【請求項１１】
前記背板の上端部の一部を、前記挿通開口に繋がるように切り抜いて、前記掛止部を形成したことを特徴とする請求項１０に記載のディスプレイ用具。
【請求項１２】
前記挿通開口の横寸法が、前記吊下げ具のフックの幅にほぼ合致していることを特徴とする請求項１１に記載のディスプレイ用具。
【請求項１３】
前記挿通開口の縦寸法が、前記吊下げ具のフックを前記掛止部に掛止したとき、前記フックにおける吊下げ棒の下側部分が隠れる大きさであることを特徴とする請求項１２に記載のディスプレイ用具。
【請求項１４】
前記掛止部に、前記挿通開口の形状の補強片を貼着したことを特徴とする請求項１０から１３のいずれかに記載のディスプレイ用具。
【請求項１５】
前記吊下げ具は、前記吊下げ棒の先端を下方に傾斜した状態で前記本体部に掛止させたことを特徴とする請求項１から１４のいずれかに記載のディスプレイ用具。
【手続補正２】
【補正対象書類名】明細書
【補正対象項目名】００１１
【補正方法】変更
【補正の内容】
【００１１】
さらにまた、上記課題を達成するために、請求項５に記載のディスプレイ用具に係る考案は、請求項４に記載の考案において、前記補強底板の端部が差込片として、背板折曲線に沿って形成された差込孔に差し込まれるように形成されていることを特徴とする。
【手続補正３】
【補正対象書類名】明細書
【補正対象項目名】００１２
【補正方法】変更
【補正の内容】
【００１２】
さらにまた、上記課題を達成するために、請求項６に記載のディスプレイ用具に係る考案は、請求項５に記載の考案において、前記差込片の差込孔への差込みが前記本体部の外側に向かってなされることを特徴とする。
【手続補正４】
【補正対象書類名】明細書
【補正対象項目名】００１３
【補正方法】変更
【補正の内容】
【００１３】
さらにまた、上記課題を達成するために、請求項７に記載のディスプレイ用具に係る考案は、請求項１から６のいずれかに記載の考案において、前記本体部を１枚の紙製ブランク材から構成し、前記背板と底板及び補強板との連接が、それぞれ背板折曲線及び補強板折曲線を介してなされていることを特徴とする。
【手続補正５】
【補正対象書類名】明細書
【補正対象項目名】００１４
【補正方法】変更
【補正の内容】
【００１４】
さらにまた、上記課題を達成するために、請求項８に記載のディスプレイ用具に係る考案は、請求項３から７のいずれかに記載の考案において、前記背板の左右に形成された背部側板のそれぞれの端部が嵌合片として、底部側板折曲線に沿って形成された嵌合孔に差し込まれるように形成されていることを特徴とする。
【手続補正６】
【補正対象書類名】明細書
【補正対象項目名】００１５
【補正方法】変更
【補正の内容】
【００１５】
さらにまた、上記課題を達成するために、請求項９に記載のディスプレイ用具に係る考案は、請求項８に記載の考案において、前記嵌合片の嵌合孔への差込みが前記本体部の内側に向かってなされることを特徴とする。
【手続補正７】
【補正対象書類名】明細書
【補正対象項目名】００２６
【補正方法】変更
【補正の内容】
【００２６】
さらにまた、請求項５記載のディスプレイ用具に係る考案によれば、請求項４の効果に加えて、補強底板の端部が差込片として、背板折曲線に沿って形成された差込孔に差し込まれるように形成されているので、補強板が本体部の強度を更に高める。
【手続補正８】
【補正対象書類名】明細書
【補正対象項目名】００２７
【補正方法】変更
【補正の内容】
【００２７】
さらにまた、請求項６記載のディスプレイ用具に係る考案によれば、請求項５の効果に加えて、差込片の差込孔への差込みが本体部の外側に向かってなされるので、補強板の前面に補強底板が現れず、視覚的にすっきりと納めることができる。また、差込片をわずかな突起にすることにより、差込孔から外側への出っ張りもほとんどなくすことができ、本体部を載置する際に壁などに密着して置くことができ有利である。
【手続補正９】
【補正対象書類名】明細書
【補正対象項目名】００２８
【補正方法】変更
【補正の内容】
【００２８】
さらにまた、請求項７記載のディスプレイ用具に係る考案によれば、請求項１から６のいずれかの効果に加えて、本体部を１枚の紙製ブランク材から構成し、背板と底板及び補強板との連接が、それぞれ背板折曲線及び補強板折曲線を介してなされているので、本体部の製造が容易かつ安価に行え、使用時の組立や保管・運搬時の折り畳みが簡易にできる。
【手続補正１０】
【補正対象書類名】明細書
【補正対象項目名】００２９
【補正方法】変更
【補正の内容】
【００２９】
さらにまた、請求項８記載のディスプレイ用具に係る考案によれば、請求項３から７のいずれかの効果に加えて、背板の左右に形成された背部側板のそれぞれの端部が嵌合片として、底部側板折曲線に沿って形成された嵌合孔に差し込まれるように形成されているので、背部側板が本体部の安定性を更に向上させる。
【手続補正１１】
【補正対象書類名】明細書
【補正対象項目名】００３０
【補正方法】変更
【補正の内容】
【００３０】
さらにまた、請求項９記載のディスプレイ用具に係る考案によれば、請求項８の効果に加えて、嵌合片の嵌合孔への差込みが本体部の内側に向かってなされるので、嵌合片が本体部外側に出っ張らず、本体部を載置する際に邪魔にならず有利である。また、デザイン的にも優れ、ディスプレイ用具として好ましい。